(57)【要約】本発明は、内燃機関で使用するための燃料組成物である。この組成物には、１０重量％以下のオレフィンと１０重量％以下のエステルとを含有する主要量のベース燃料；および平均で８〜２０個の炭素原子を有する第一級、第二級または第三級の飽和脂肪族一価アルコール、或いはそれらの混合物、平均で５〜２５個の炭素を有する少なくとも１種のモノまたはポリケトン、或いはケト−脂肪族一価アルコール、および該アルコール（複数種も可）とケトン（複数種も可）との混合物よりなる群から選ばれる、全組成物基準で５重量％超の少なくとも１種の酸素化物が含まれる。燃料組成物中の酸素化物の量は、少なくとも０．５重量％の酸素を燃料に提供するのに十分な量である。酸素化物は、ディーゼルエンジンの排気による粒子状物質の排出を著しく低減する。
2004507567.tif 000002
【特許請求の範囲】
【請求項１】
１０重量％以下のオレフィンと１０重量％以下のエステルとを含有する主要量のベース燃料；および
平均で８〜２０個の炭素原子を有する第一級、第二級または第三級の飽和脂肪族一価アルコール、或いはそれらの混合物、平均で５〜２５個の炭素を有する少なくとも１種のモノまたはポリケトン、或いはケト−脂肪族一価アルコール、および該アルコール（複数種も可）とケトン（複数種も可）との混合物よりなる群から選ばれる少なくとも１種の酸素化物
を含んでなる燃料組成物であって、
該酸素化物の量が全組成物基準で５重量％超であり、
該酸素化物が、その構造中に他の酸素を含有しておらず、該組成物中の該酸素化物の量が、少なくとも０．５重量％の酸素を該燃料組成物に提供するのに十分であることを特徴とする燃料組成物。
【請求項２】
前記ベース燃料が無灰ディーゼル燃料であることを特徴とする請求項１に記載の燃料組成物。
【請求項３】
前記飽和脂肪族一価アルコールが平均で９〜２０個の炭素原子を有することを特徴とする請求項１に記載の燃料組成物。
【請求項４】
前記飽和脂肪族一価アルコールが、オクタノール、イソ−オクタノール、２−エチルヘキサノール、ノナノール、イソ−ノナノール、２−プロピルヘプタノール、２，４−ジメチルヘプタノール、デカノール、イソデカノール、ウンデカノール、イソウンデカノール、ドデカノール、イソドデカノール、トリデカノール、イソ−トリデカノール、テトラデカノール、イソ−テトラデカノール、ミリスチルアルコール、ヘキサデカノール、オクタデカノール、ステアリルアルコール、イソステアリルアルコール、エイコサノール、ジ−イソブチルカルビノール、テトラヒドロリナロオール、またはそれらの混合物から選択されることを特徴とする請求項１に記載の燃料組成物。
【請求項５】
前記ケトンが平均で５〜２１個の炭素を有することを特徴とする請求項１に記載の燃料組成物。
【請求項６】
前記ケトンが平均で７〜１５個の炭素を有することを特徴とする請求項１に記載の燃料組成物。
【請求項７】
少なくとも０．５％ｗ／ｗの酸素を前記組成物に提供すべく存在する前記酸素化物の量が全組成物の７重量％超であることを特徴とする請求項１に記載の燃料組成物。
【請求項８】
存在する前記酸素化物の量が、少なくとも２重量％の酸素を前記組成物に提供しうる量であることを特徴とする請求項１に記載の燃料組成物。
【請求項９】
前記組成物中のＣ１〜Ｃ２アルコールの量が５重量％未満であることを特徴とする請求項１に記載の燃料組成物。
【請求項１０】
少なくとも８０重量％の前記ベース燃料を含んでなることを特徴とする請求項１に記載の燃料組成物。
【発明の詳細な説明】
【０００１】
本発明は、低硫黄含量の燃料組成物であって、その燃料組成物の燃焼により動力を発生するエンジンの排気による粒子状物質の排出を低減しうる少なくとも１つの成分を含有する燃料組成物に関する。
【０００２】
特に興味深いのは、省燃費性が高いために、自動車による輸送や、重機器への動力の供給のために広く使用されているディーゼル燃料などの燃料である。しかしながら、そのような燃料を内燃機関で焼成させたときの問題の１つとして、環境に排出される排気ガス中の汚染物質がある。例えば、ディーゼル排気物中で最も一般的な汚染物質としては、酸化窒素および二酸化窒素（これ以降、「ＮＯｘ」と略記する）、炭化水素、二酸化硫黄、並びにより少量ではあるが一酸化炭素などがある。このほかディーゼルエンジンはまた、相当な量の粒子状排出物を発生する。粒子状排出物は特に、すすおよびそれに吸着された炭化水素や硫酸塩（これらは通常燃料の不完全燃焼によって形成される）を含むので、そのようなエンジンにより排気を介して排出される濃厚な黒煙の原因となる。硫黄の酸化物は、最近、燃料を精製することにより、かなり低減されるようになってきた。例えば、水素化脱硫を行うと、燃料自体の硫黄レベルが低減されるので、排気物質中の硫黄レベルも低減される。しかしながら、そのような排気物質中においても粒子状物質が存在することは、さらに複雑な問題になっていた。粒子状物質が排出される主な原因は、燃料の不完全燃焼であることが知られている。このため、酸素価を有する有機化合物（これ以降、「酸素化物」と記す）を燃料に導入し、燃焼を促進する試みがなされてきた。酸素化物は、燃料の燃焼を促進して粒子状物質を低減させることが知られている。そのような化合物としては、例えば、ギ酸や酢酸のオルトエステルなどのような低級脂肪族エステル、エーテル、グリコール、ポリオキシアルキレングリコール、グリセロールのエーテルやエステル、および炭酸エステルが挙げられる。例えば、米国特許第５，３０８，３６５号には、ディーゼル燃料に添加したときに粒子状物質の排出を低減するグリセロールのエーテル誘導体の使用についての記載がある。この特許には、粒子状物質の減少量は、添加した成分の酸素含量に直線的に比例する、すなわち、所定範囲の添加化合物を用いた場合、酸素含量が多くなるほど、粒子状物質の減少量は多くなるとの教示がなされている。しかも、記載の範囲から選択された特定の化合物に依存したものではないとの教示もなされている。
【０００３】
同様に、自動車技術協会（Ｓｏｃｉｅｔｙ　ｏｆ　Ａｕｔｏｍｏｔｉｖｅ　Ｅｎｇｉｎｅｅｒｉｎｇ）（ＳＡＥ）論文９３２７３４には、より広範にわたる酸素化燃料に関する強力ディーゼルエンジンの研究がまとめられている。この論文の著者の１人（Ｌｉｏｔｔａ，Ｆ　Ｊ）は、米国特許第５，４２５，７９０号（アルコールおよびグリコール）および米国特許第５，３０８，３６５号（グリセロールエーテルおよびエステル）の発明者の１人でもある。該著者らの確認によれば、粒子状物質の減少量は添加した成分の酸素含量に概ね直線的に比例するが、同一の酸素含量ではアルコールよりもエーテルの方が粒子状物質を減少させるのに有効であると思われる。
【０００４】
さらに、ＳＡＥ論文Ｎｏ．９４２０２３には、ＡおよびＢとして総称的に開示されたアルコールの使用が教示されている。しかしながら、この論文では、試験したアルコールが同定されていない。
【０００５】
同様に、米国特許第５，４２５，７９０号（ＳＡＥ　９３２７３４に対応する）には、粒子状物質の排出を低減させるために燃料への添加剤としてシクロヘキシルエタノールおよびメチルベンジルアルコールを使用することが開示されており、そしてこれらはうまく機能しないと記載されている（第６欄、第５３〜５７行）。他のアルコールは開示されていない。この引用文献は、主にグリコールおよびグリコールエーテルについての試験に関するものであるが、試験したアルコールの濃度は記載されていない。
【０００６】
米国特許第４，３７８，９７３号には、燃料からの粒子状物質の排出を低減させるためにシクロヘキサンと酸素化添加剤とを併用することが開示されている。この文書には、シクロヘキサンの不在下では有益な結果を達成することができないと記載されている。この文書では、酸素化添加剤として、２−エチルヘキサノールと、Ｃ６〜Ｃ２０ノルマルアルコールの混合物よりなる「ＥＰＡＬ　１０１２」とが開示されている。
【０００７】
さらなる文献の国際特許公開第９３／２４５９３号は、主に、ディーゼル燃料とアルコールとから得られるガソホールブレンドに関する。このブレンドは、２０〜７０体積％のエタノールまたはメタノール、１〜１５体積％の第三級アルキルペルオキシドおよび４．５〜５．５体積％の高級直鎖状アルコールを含有していなければならない。開示されている直鎖状アルコールは、３〜１２個の炭素原子を有する。この文献によれば、第三級アルキルペルオキシドの存在は燃料の性能に不可欠である。なぜなら、１０％ｖ／ｖのアルコールを用いるとストレートのディーゼル燃料よりもうまく機能せず、一方、３０％ｖ／ｖのエタノールを用いると「エンジンの運転状態が著しく悪くなる（第８頁、第１４〜１９行）」からである。
【０００８】
国際特許公開第９８／３５０００号は、潤滑性向上剤に関するものであり、粒子状物質の排出を制御もしくは減少させることについては言及されていない。この文書では、ディーゼル燃料組成物の５％ｗ／ｗ未満の量で第一級直鎖状Ｃ７＋アルコールを使用することが開示されている。
【０００９】
同様に、国際特許公開第９６／２３８５５号は、グリコールエーテルおよびエステルの、ディーゼル燃料などの燃料油の潤滑性向上用添加剤としての使用に関するものである。エーテルやエステルを調製するために使用されるいくつかのアルコールが列挙されているが、アルコールそのものを使用することについてはまったく言及されていない。
【００１０】
上記の国際特許公開第９６／２３８５５号と同じように、米国特許第５，００４，４７８号には、ポリエーテルおよび芳香族カルボン酸エステルをディーゼル燃料における添加剤として使用することが記載されている。添加剤としてアルコールを使用することについてはまったく言及されていない。
【００１１】
いずれも同一譲受人名義の米国特許第５，３２４，３３５号および米国特許第５，４６５，６１３号は、フィッシャー・トロプシュ法により製造される燃料に関する。この燃料には、特に、プロセス時にｉｎ　ｓｉｔｕで形成されてプロセスにリサイクルされるアルコールが含まれている。いくつかの第一級アルコールが開示されているが、これらのほとんどは直鎖状である。その例外としてメチルブタノールおよびメチルペンタノールが言及されている。しかしながら、リサイクルされるストリームには、かなりの量の他の成分、例えば、アルデヒド、ケトン、芳香族化合物、オレフィンなどが含まれている。また、このプロセスにより生成されるアルコールの量、特に、分枝状アルコールの含量（＜０．５％））は、リサイクルされる全ストリームに対して非常に少ないと思われる。
【００１２】
米国特許第５，７２０，７８４号は燃料ブレンドに関するものであり、以前から用いられているメタノールおよびエタノールとの混和性をディーゼル燃料に付与することは困難であると記載されている。この文書では、そのような配合物にＣ３（ｎ−プロパノールを除く）〜Ｃ２２有機アルコールを添加することにより、混和性の問題は軽減されるとの主張がなされている。しかしながら、高級アルコールを使用して分離傾向のない単一相組成物を形成することについてはこの文書に記載されているが、ディーゼル燃料の性質に関しては記載されておらず（それらの組成が軽質ナフサからヘビーデューティディーゼル油までの広い範囲に及んでいるため）、しかも、ディーゼル燃料で動作する内燃機関でそのような燃料を使用したときに、記載のアルコールが粒子状物質の排出の問題に及ぼす影響に関しても記載されていない。さらに、混和性の問題を扱う際、低級Ｃ１およびＣ２アルコールを含有する燃料組成物と低級アルコールを含有していない組成物との区別がなされていない。
【００１３】
国際特許公開第９２／２０７６１号には、ベース燃料が主にエステルおよびアルコールであるバイオディーゼル燃料を含んでなる組成物が開示されている。この文書では、排気による粒子状物質を低減させることについては言及されていない。
【００１４】
今般、ある特定の酸素化物をディーゼル燃料に添加することにより、ＮＯｘの増加をほとんどまたは全く伴わずに、これらの燃料で動作されるエンジンの排気による粒子状物質の排出を、これまで使用されてきたいくつかの添加剤を用いたときと比較して実質的に低減させることができることを見出した。
【００１５】
従って、本発明に係る実施形態は、１０重量％以下のオレフィンと１０重量％以下のエステルとを含有する主要量のベース燃料；および平均で８〜２０個の炭素原子を有する第一級、第二級または第三級の飽和脂肪族一価アルコール、或いはそれらの混合物、平均で５〜２５個の炭素を有する少なくとも１種のモノまたはポリケトン、或いはケト−脂肪族一価アルコール、および該アルコール（複数種も可）とケトン（複数種も可）との混合物よりなる群から選ばれる少なくとも１種の酸素化物を含んでなる燃料組成物であって、該酸素化物の量が全組成物基準で５重量％超である燃料組成物である。該酸素化物は、その構造中に他の酸素を含有しておらず、また該組成物中の該酸素化物の量は、少なくとも０．５重量％の酸素を該燃料組成物に提供するのに十分な量である。
【００１６】
前述の酸素化物の添加により利点を生じる使用可能な燃料には、特に、留出燃料が包含され、典型的には、主要量のディーゼル燃料、ジェット燃料、灯油、バンカー燃料またはそれらの混合物が包含される。燃料、特にディーゼル燃料は、好適には無灰燃料である。
【００１７】
燃料組成物のオレフィン含量から考えて、フィッシャー・トロプシュ法のいくつかで製造される燃料のような、相当量（例えば、４０重量％超）のオレフィンを含有するディーゼル燃料は対象にならない。いかなる場合においても、燃料組成物は、１０重量％以下のオレフィン、好適には５重量％未満のオレフィン、好ましくは２重量％未満のオレフィンを含有する。そのような燃料は、生成されるオレフィンを先に規定した閾値レベル未満に制御する改変フィッシャー・トロプシュ法によって製造することが可能である。さらに、ベース燃料は、１０重量％未満のエステルを含有する。すなわち、ベース燃料には、いわゆるバイオディーゼル燃料は包含されない。
【００１８】
ディーゼル燃料は、好適には少なくとも７０重量％、好ましくは少なくとも８０重量％、より好ましくは８５重量％超のベース燃料を含む。ベース燃料は、好適には１重量％超、好ましくは５重量％超、さらにより好ましくは５〜２０重量％の芳香族化合物を含有する。ベース燃料は、好適には８５５ｋｇ／ｍ３未満、好ましくは８３５ｋｇ／ｍ３以下の密度を有する。ベース燃料は、好適には３４５℃以下のＴ９５を有する。
【００１９】
本発明に係る実施形態の組成物で使用される前記酸素化物の量はいずれも、全組成物の５重量％超であり、そして少なくとも０．５％ｗ／ｗ、好適には少なくとも１．０重量％、好ましくは少なくとも２重量％の酸素を組成物に供給しうる量である。従って、この組成物を得るために組成物に添加される酸素化物の量は、好適には全組成物の５重量％超であり、好ましくは全組成物の７％ｗ／ｗ超である。典型的には、酸素化物（複数種も可）は、全組成物の７〜６０重量％、好ましくは７〜４０重量％の範囲の量で使用される。酸素化物が比較的多い酸素含量を有する場合、これらの範囲内で、比較的少ない量の特定の酸素化物を使用することが可能であろう。反対に、酸素含量が比較的少ない場合、より多くの量の特定の酸素化物を使用しなければならないであろう。
【００２０】
本発明に係る実施形態の特徴は、平均で８〜２０個の炭素原子を有する第一級、第二級または第三級の飽和脂肪族一価アルコール、或いはそれらの混合物、平均で５〜２５個の炭素を有する少なくとも１種のモノ−もしくはポリ−ケトンまたはケト−脂肪族一価アルコール、および前述のアルコール（複数種も可）とケトン（複数種も可）との混合物よりなる群から選ばれる５重量％超の少なくとも１種の酸素化物を、最終組成物が少なくとも０．５重量％の酸素含量を有するようにベース燃料とブレンドして使用することにより、そのような組成物を内燃機関の燃料として使用したときの粒子状物質の排出を低減させることである。これらの酸素化物を先に規定した量で使用すると、これまでに使用されてきたエステルやエーテルよりもエンジンの排気による粒子状物質の排出が低減されることを見出した。粒子状物質の排出が低減されるというこの改良された性能は、シクロヘキサンやペルオキシドなどのさらなる添加剤を使用したり、芳香族アルコールを使用したりすることなく達成される。さらなる特徴は、これらの酸素化物が広範囲にわたる乗物および走行サイクルに対して示す、粒子状物質の排出に関する性能が、これまでに同じ目的で使用されてきたエステル、グリコールもしくはエーテルが限られた範囲の乗物および走行サイクルに対してのみ示す性能と比較して非常に優れていることである。さらなる特徴は、ＮＯｘ排出をほとんどもしくは全く増加させることなく、しかも高エンジン負荷時のＣＯ排出を実質的に低減させつつ、粒子状物質の減少が達成されることである。
【００２１】
本発明に係る実施形態の組成物中の脂肪族飽和一価アルコールは、好適には、単独でもしくは混合物として使用される。アルコールは、好適には平均で８〜２０個の炭素原子、好ましくは９〜２０個の炭素原子、より好ましくは９〜１６個の炭素原子を有する。アルコールは、第一級、第二級または第三級の一価アルコール、或いはそれらの混合物である。特に好ましいのは、分枝状開鎖アルコールである。そのようなアルコールの具体例としては、特に、オクタノール、イソ−オクタノール、２−エチルヘキサノール、ノナノール、イソ−ノナノール、２−プロピルヘプタノール、２，４−ジメチルヘプタノール、デカノール、イソデカノール、ウンデカノール、イソウンデカノール、ドデカノール、イソ−ドデカノール、トリデカノール、イソ−トリデカノール、テトラデカノール、イソ−テトラデカノール、ミリスチルアルコール、ヘキサデカノール、オクタデカノール、ステアリルアルコール、イソステアリルアルコール、エイコサノール、ジ−イソブチルカルビノール、テトラヒドロリナロオールおよびそれらの混合物、中でも特に、Ｅｘｘａｌ（登録商標）−１０、Ｅｘｘａｌ（登録商標）−１２およびＥｘｘａｌ（登録商標）−１３が挙げられる。これらの表記中において、「イソ」という用語は、一般的には分枝状アルコールの混合物を示すものとみなされる。例えば、「イソ−ノナノール」は約８５％の３，５，５−トリメチルヘキサノールを含有する混合物を表し、「イソ−デカノール」はＣ９〜Ｃ１１アルコールの混合物を表し、「イソ−ドデカノール」はＣ１１〜Ｃ１３アルコールの混合物を表し、「イソ−トリデカノール」はＣ１２〜Ｃ１４アルコールの混合物を表し、そして「イソ−テトラデカノール」は、直鎖および分枝鎖Ｃ１３〜Ｃ１５アルコールの混合物である。本明細書に記載のアルコールのいくつかは、天然源に由来するものであってもよい。これらのアルコールとしては、例えば、２つの群、すなわち、ラウリン酸油（主にヤシ油、パーム核油およびホホバ油に由来する）およびステアリン酸油に属するものを挙げることができる。ラウリン酸油からは、Ｃ６〜Ｃ１８の範囲のアルコールが得られ、その主成分はＣ１２〜Ｃ１４アルコール（それぞれ、Ｃ１２＝ラウリルアルコールおよびＣ１４＝ミリスチルアルコール）である。ステアリン酸油からは、Ｃ１４〜Ｃ２２の範囲のアルコールが得られ、その主成分はＣ１６〜Ｃ１８（それぞれ、Ｃ１６＝セチルアルコールおよびＣ１８＝ステアリルアルコール）アルコールである。これらのアルコールは一般的には対応する酸もしくはメチルエステルの水素化により生成されるので、これらのアルコールは飽和アルコールであると考えられる。
【００２２】
ケトンという用語には、中央のカルボニル（Ｃ＝Ｏ）基に結合した直鎖状または分枝状脂肪族基、或いはそれらの混合物、芳香族基、ナフテン基、或いは脂肪族、芳香族およびナフテン族基の混合物を含有しうるモノおよびポリケトン、並びにケト−脂肪族一価アルコールが包含される。好ましくは、これらの基の一方もしくは両方は、それ自身がアリール部分（例えば、フェニル基、ナフチル基など）で置換されていてもよい脂肪族基であり、また好ましくは、アルキル基は無置換である。ケトンは、好適には平均で５〜２５個の炭素原子、好ましくは平均で５〜２１個の炭素原子、より好ましくは平均で７〜２１個の炭素原子、さらにより好ましくは平均で７〜１５個の炭素原子を有する。好適なケトンの例としては、ジ−ｎ−プロピルケトン、シクロペンタノン、シクロヘキサノン、メチルウンデシルケトン、８−ペンタデカノン、２−ヘプタデカノン、９−エイコサノン、１０−ヘンエイコサノン、２−ドエイコサノンおよびそれらのアルキル誘導体、並びにそれらの混合物が挙げられる。最も好ましいケトンは開鎖ケトンであり、具体的には、ジ−エチルケトン、メチルプロピルケトン、メチルイソプロピルケトン、エチルプロピルケトン、エチルイソプロピルケトン、ジ−ｎ−プロピルケトン、ジ−イソプロピルケトン、イソプロピルイソブチルケトン、ジ−ｎ−ブチルケトン、ジ−イソブチルケトン、ジ−ｎ−ペンチルケトン、ジ−イソペンチルケトン、イソブチルイソペンチルケトン、イソプロピルイソペンチルケトン、ジ−ｎ−ヘキシルケトン、ジ−イソヘキシルケトン、イソペンチルイソヘキシルケトンおよび脂肪族基を有する他のケトン（この脂肪族基は各々独立に、直鎖状、或いは一つまたは複数の分枝を有する分枝状の脂肪族基である）が挙げられる。このほか、複数のケトン官能基を有する炭化水素、およびケトン基と一価官能基との組み合わせを有する炭化水素（すなわち、ケト−脂肪族一価アルコール）もケトンに含まれる。ケト−一価アルコールは、合計で２５個以下の炭素を含有する。
【００２３】
燃料組成物は、好適には、Ｃ１〜Ｃ２アルコールを実質的に含有しない。すなわち、それらのアルコールは、全組成物の５重量％未満、好ましくは１重量％以下の量で存在する。使用する酸素化物は、好適には、０．１ｍｇＫＯＨ／ｇ以下の酸価および０．３５ｍｇＫＯＨ／ｇ以下のカルボニル価を有する。
【００２４】
ディーゼル燃料組成物には、製油所で、燃料分配ターミナルで、またはタンカー中で添加される、或いはエンドユーザーが各自の車の燃料タンクに添加するために購入するボトル添加剤として添加される、従来の燃料添加剤が１種以上含まれていてもよい。これらの添加剤としては、低温流動性向上剤（中間留出物流動性向上剤としても知られている）、ワックス沈降防止剤、ディーゼル燃料安定剤、酸化防止剤、セタン価向上剤、助燃剤、清浄剤、抗乳化剤、防曇剤、潤滑性向上剤、消泡剤、帯電防止剤、伝導性向上剤、腐食抑制剤、抗力減少剤、付香剤、染料、標識剤などが挙げられる。
【００２５】
本発明の方法で使用される燃料組成物は、さらに、セタン価向上剤を含有していてもよい。
【００２６】
本発明に係る実施形態の燃料組成物で使用することのできる酸素化物のいくつかについて、排気ガス中の炭化水素、ＮＯｘ、一酸化炭素、二酸化炭素および酸素を分析する装置（Ｈｏｒｉｂａ，Ｍｅｘａ−９１００　ＤＥＧＲ）、および全流量稀釈パティキュレートトンネル（Ｈｏｒｉｂａ，ＤＬＳ−９２００）を備えた単気筒のＣａｔｅｒｐｉｌｌａｒ　３４０６　ＨＤエンジン（これはＣａｔ　１Ｙ４５０エンジンである）を用いて、それらの粒子状物質の排出を低減する性能を評価した。一次希釈トンネルの後の位置で、燃焼プロセスで生成した粒子状物質を直径７０ｍｍのＷｈａｔｍａｎ　ＧＦ／Ａガラス繊維濾紙上に捕集する。二次希釈は行わない。試験前および試験後の両方で、使用した濾紙の安定化および秤量を行う。安定化条件は、２０±２℃の温度および４５±１０％の相対湿度である。測定重量の差を、捕集した粒子状物質の質量とみなす。粒子状物質収集物の分析およびサンプリングシステムは、ＥＥＣ　Ｄｉｒｅｃｔｉｖｅ　８８／７７／ＥＥＣに準拠する。
【００２７】
以下の実施例および比較例の試験を参照しながら、組成物および添加剤の性能についてさらに具体的に説明する。
【００２８】
実施例１
以下で行った試験においてベース燃料として使用した燃料は、Ｅｓｓｏ社Ｆａｗｌｅｙ製油所で製造された燃料（これ以降、「ＬＳＡＤＯ」と記す）であり、次の特性を有していた。
密度：　８５１ｋｇ／ｍ３
ＫＶ２０（ｃＳｔ）：　５．０３
硫黄含量：　４００ｐｐｍ
【００２９】
試験に使用したエンジンの寸法を以下の表１に示す。
【００３０】
【表１】
2004507567.tif 000003
【００３１】
以下の表において、「工業用ポリオールエステル（分枝状酸）」とは、ペンタエリトリトールを、分枝状Ｃ８酸異性体の混合物（Ｅｘｘｏｎ　Ｃｈｅｍｉｃａｌ　ＣｏｍｐａｎｙよりＣｅｋａｎｏｉｃ（登録商標）８として販売されているイソオクタン酸）および分枝状Ｃ９酸異性体の混合物（Ｅｘｘｏｎ　Ｃｈｅｍｉｃａｌ　ＣｏｍｐａｎｙよりＣｅｋａｎｏｉｃ（登録商標）９として販売されている３，５，５−トリメチルヘキサン酸）の混合物（重量比１：５）と反応させることにより誘導された工業用ペンタエリトリトールエステルを意味する。このエステルは、赤外法で測定したヒドロキシル価が１００〜１２０となるように調製されている。Ｃｅｋａｎｏｉｃ（登録商標）８酸の分枝状エステルは５１４の分子量を有するのに対して、Ｃｅｋａｎｏｉｃ（登録商標）９の分枝状エステルは５５６の分子量を有する。同様に、「工業用ポリオールエステル（直鎖状酸）」とは、工業用ペンタエリトリトールと、ヤシ油などのような天然油に由来する直鎖状Ｃ８〜Ｃ１０モノカルボン酸との混合エステルを意味する。５５％ｗ／ｗのＣ８酸、４０％ｗ／ｗのＣ１０酸を含有し、残りがＣ６およびＣ１２酸であるそのような直鎖状酸混合物は、Ｐｒｏｃｔｅｒ　＆　Ｇａｍｂｌｅから入手可能である。Ｃ８直鎖状酸の直鎖状エステルは５１４の分子量を有するのに対して、Ｃ１０直鎖状酸の直鎖状エステルは５９８の分子量を有する。
【００３２】
表では、次の略号を使用した。
ＬＳＡＤＯ：　ベース燃料として用いた、低硫黄自動車用ディーゼル燃料油（Ｅｓｓｏ社Ｆａｗｌｅｙ製油所製品）
Ｅｘｘａｌ（登録商標）１０：　イソデカノール（ＣＡＳ番号９３８２１−１１−５、ＥＩＮＥＣＳ番号２９８６９６６、Ｅｘｘｏｎ　Ｃｈｅｍｉｃａｌｓ社製）
Ｅｘｘａｌ（登録商標）１２：　イソドデカノール（ＣＡＳ番号９０６０４−３７−８、ＥＩＮＥＣＳ番号２９２３３０９、Ｅｘｘｏｎ　Ｃｈｅｍｉｃａｌｓ社製）
ＰＭ：　粒子状物質
【００３３】
単気筒のＣａｔｅｒｐｉｌｌａｒ　３４０６ヘビーデューティエンジンで排出物試験を行った。高負荷で約１０：１、低負荷で約１５：１の一次希釈率を有する全希釈トンネルを用いて、粒子状物質の捕集および分析を行った。試験燃料の範囲内で動的噴射時期を一定に保持して、２台の外部ルーツポンプを用いてエンジンを過給した。
【００３４】
酸素含量２重量％の試験燃料が得られるように７種の酸素化物をＬＳＡＤＯにブレンドすることにより、７種の酸素化燃料を作製した。それらの排出性能を、基準燃料として用いたＬＳＡＤＯの排出性能と比較した。
【００３５】
試験を行うために、２つの定常状態を選択した。いずれも１５００ｒｐｍで行った。高負荷状態は２２０Ｎｍであり、低負荷状態は６０Ｎｍであった。１日ごとにランダム化した燃料試験シーケンスを用いてそれぞれの負荷で５〜６日間にわたり各燃料を試験した。２枚の濾紙上にそれぞれ１０分間粒子状物質を捕集し、これらの結果を平均して、それぞれの日における各燃料に対するデータ点を生成した。
【００３６】
各燃料ごとに５〜６日間にわたる試験を平均してＬＳＡＤＯベース燃料（４００ｐｐｍの硫黄を有するベースディーゼル燃料）と比較したときの変化％として得られた、粒子状物質の結果を以下の表に列挙する。高負荷では、ＰＭの減少量は典型的には約２０％であった。ＰＭの最大の減少は３８％であり、これは第一級アルコールを含有する燃料で観測された。低負荷では、観測されたＰＭの減少量はより少なかった。この場合にも、試験した酸素化物のうちＰＭの最大の減少は、第一級アルコールを含有する燃料のときに観測され、このとき約１６％の減少が観測された（表２）。以下の表２Ａからわかるように、ＰＭのこうした減少は、ＮＯｘの排出を増大させることなく、しかもＣＯ排出を大幅に低減させつつ達成された。
【００３７】
【表２】
2004507567.tif 000004
【００３８】
【表３】
2004507567.tif 000005
【００３９】
実施例２
所定の車両技術範囲にわたる３台の乗用車についても排出物試験を行った。Ｆｏｒｄ　Ｅｓｃｏｒｔ（１．８リットルＩＤＩ）は、より古い車両技術が使用され、後処理が施されていないものであった。この車は、１９９０〜１９９１年に販売された典型的な車であった。中間の技術が使用されたのは、ターボ過給および酸化触媒を装備し、１９９０〜１９９１年の技術を駆使した車であるＶＷ　Ｊｅｔｔａ（１．６リットルＩＤＩ）であった。ＶＷ　Ｇｏｌｆ（１．９リットルＴＤＩ）は、最新の車両技術が使用された車であり、ターボ過給、インタークーラーおよび近接して取り付けられた酸化触媒を備え、排気ガスの再循環機能を用いているものであった。この車は、１９９６〜１９９７年の技術を駆使した車であった。
【００４０】
先に記載したのと同様にして、酸素含量２重量％の試験燃料が得られるように６種の酸素化物をＬＳＡＤＯにブレンドすることにより、酸素化燃料のサンプル６種を作製した。その組成は、表２に与えられている（燃料１、３〜７）。これらの酸素化燃料の性能を、基準燃料として用いたＬＳＡＤＯの性能と比較した。その性能は、表３に示されている。これらの６種の燃料を比較すると、粒子状物質の排出が基準燃料よりも改良されていることがわかる。特に、第一級一価アルコール化合物を用いた燃料５を、他のさまざまな酸素化化合物を含有する燃料１、３、４、６、および７と比較すると、改良されていることがわかる。
【００４１】
欧州高温ＥＣＥ　１５−ＥＵＤＣ試験サイクルを実施して試験を行った。各燃料の試験を完全試験サイクルで３回行った。その際、試験燃料の３回の試験の前後にベース燃料の試験を行った。次に、各燃料の結果を、同一日に測定したベース燃料のデータからの相対変化として表現した。
【００４２】
得られた粒子状物質の結果を、３台の車のそれぞれを用いて各燃料をＬＳＡＤＯ（４００ｐｐｍの硫黄を有するベースディーゼル燃料）と比較したときの変化％として、以下に列挙する。試験した燃料の多くで、その粒子状物質の減少量が試験した３台の車の間で大きく変化していることに注目されたい。驚くべきことに、第一級Ｃ１０アルコールを用いた燃料（燃料５）の結果は、著しく一貫性があり、ＥＣＥ−ＥＵＤＣ試験サイクルで１８〜２０％のＰＭ減少を示した。このときも、第一級アルコールを用いた燃料では、ＮＯｘの著しい増加は起こらなかった。
【００４３】
【表４】
2004507567.tif 000006
【００４４】
【表５】
2004507567.tif 000007
【００４５】
実施例３
単気筒のＣａｔｅｒｐｉｌｌａｒ　３４０６ヘビーデューティエンジンで排出物試験を行った。低負荷で約１５：１の一次希釈率を有する全希釈トンネルを用いて、粒子状物質の捕集および分析を行った。試験燃料の範囲内で動的噴射時期を一定に保持して、２台の外部ルーツポンプを用いてエンジンを過給した。
【００４６】
３種のアルコールを、酸素含量２重量％の試験燃料が得られるようにＬＳＡＤＯ中にブレンドして試験を行った。それらの排出性能を、基準燃料として用いたＬＳＡＤＯの排出性能と比較した。
【００４７】
１５００ｒｐｍおよび６０Ｎｍの条件で試験を行うための１つの定常状態を選択した。１日ごとにランダム化した燃料試験シーケンスで６日間にわたり各燃料を試験した。２枚の濾紙上にそれぞれ１０分間粒子状物質を捕集し、これらの結果を平均して、それぞれの日における各燃料に対するデータ点を生成した。
【００４８】
各燃料ごとに６日間にわたる試験を平均してＬＳＡＤＯ（４００ｐｐｍの硫黄を有するベースディーゼル燃料）と比較したときの変化％として、得られた粒子状物質の結果を以下の表４に列挙する。これらの３種のアルコールはいずれも、ＡＤＯと比較して１７〜１９％の粒子状物質の減少をもたらした。その際、ＮＯｘは、ほとんどもしくはまったく増加しなかった。
【００４９】
【表６】
2004507567.tif 000008
【００５０】
実施例４
使用したベース燃料は、８２５ｋｇ／ｍ３の密度、３．４１のｋＶ２０（ｃＳｔ）、３１ｐｐｍの硫黄含量、および３１４℃のＴ９５を有するＦａｗｌｅｙ　ＵＬＳＡＤＯであった。最終ブレンド中の酸素含量が２重量％になるように適切な量の酸素化物とベース燃料とをブレンドした。第一級アルコール、第二級アルコール、第三級アルコールおよびケトンを選択してスクリーニングにかけた。燃料の詳細については、表５に示されている。
【００５１】
【表７】
2004507567.tif 000009
【００５２】
１台の車を用いて試験を行った。ＶＷ　Ｇｏｌｆ　１．９　ＴＤＩを選択した。この車は、１．９リットルの、インタークーラー付きターボ過給ＤＩエンジンであり、エンジンブロックに極めて近接して配設された酸化触媒、排気ガスの再循環機能、および噴射時期の閉ループ制御を可能にするニードルリフトセンサーを有する電気制御ディストリビューター燃料ポンプを備えている。
【００５３】
個々の試験燃料に対してベース燃料の試験が毎日行われる特定の試験プロトコルに従って燃料ブレンドを試験した。最初にベース燃料を試験し、続いて試験燃料を逐次的に３回試験し、次に最後のベース燃料試験を行う（ベース燃料１回目、試験燃料１回目、試験燃料２回目、試験燃料３回目、ベース燃料２回目）。これらの５回の試験のそれぞれに、高温ＥＣＥ−ＥＵＤＣドライブサイクルが含まれていた。それぞれの試験で、ガス排出物および粒子状排出物を捕集した。
【００５４】
結果および考察
図１Ａおよび１Ｂ並びに表６に示されているのは、各燃料に対して測定されたＰＭおよびＮＯｘの絶対排出量のデータである。図中の棒線は、９５％最小有意差限界を示しており、これらが重ならない場合、燃料間に有意差があると言える。４種の酸素化物はいずれも、ベースＵＬＳＡＤＯ燃料と比較して粒子状物質の排出の実質的かつ有意な減少を示した。使用した酸素化物のタイプ間には、統計的有意差は存在しなかった。また、４種の酸素化ブレンドはいずれも、ＵＬＳＡＤＯよりも多いＮＯｘ絶対排出量を呈した。しかしながら、第三級アルコールおよびケトンの場合、これらの増加はごくわずかであり、ベース燃料ＵＬＳＡＤＯと比較して９５％水準で統計的に有意ではなかった。
【００５５】
図２および表６は、ベース燃料と比較したときの各酸素化ブレンドの相対的排出量変化を示している。図１Ａおよび１Ｂで観測された差異がここで明瞭に現れている。粒子状物質の排出の減少は、１９．８％（第三級アルコール）から２２．６％（第一級および第二級アルコール並びにケトン）まで変化した。ＵＬＳＡＤＯと比較したときのＮＯｘ排出の対応する増加は、０．５％（第三級）、１．０％（ケトン）、３．８％（第一級）および４．４％（第二級）であった。また、ベースディーゼル燃料に酸素化物を添加したところ、ＨＣおよびＣＯ排出が増大する結果となったが、いまやすべてのライトデューティディーゼル車で慣用されている酸化触媒を用いることにより、ＨＣおよびＣＯの排出をより容易に制御することができる。ＨＣおよびＣＯ排出の増大は、粒子状物質を減少させることの有意性および重要性を相殺するものではない。
【００５６】
【表８】
2004507567.tif 000010
【００５７】
このデータから示されるように、第二級および第三級アルコール並びにケトンは、ベース燃料からの粒子状物質の排出に関して、第一級アルコールを用いて先に示した減少レベルと類似した減少レベルを示す。
【図面の簡単な説明】
【図１】図Ａおよび１Ｂはそれぞれ、ＵＬＳＡＤＯベース燃料と、第一級、第二級および第三級の飽和脂肪族一価アルコール、並びにケトンに由来する酸素を２％含有しているベース燃料とについて測定した、粒子状物質（ＰＭ）およびＮＯｘの絶対排出量のデータをグラフで示す。
【図２】第一級、第二級および第三級の飽和脂肪族一価アルコール、並びにケトンが添加されたＵＬＳＡＤＯ燃料についてＰＭ、ＮＯｘ、ＨＣ、およびＣＯに関する排出データを比較してグラフで示す。
【図１】
2004507567.tif 000011
【図２】
2004507567.tif 000012
【国際公開パンフレット】
2004507567.tif 000013
2004507567.tif 000014
2004507567.tif 000015
2004507567.tif 000016
2004507567.tif 000017
2004507567.tif 000018
2004507567.tif 000019
2004507567.tif 000020
2004507567.tif 000021
2004507567.tif 000022
2004507567.tif 000023
2004507567.tif 000024
2004507567.tif 000025
2004507567.tif 000026
2004507567.tif 000027
2004507567.tif 000028
2004507567.tif 000029
2004507567.tif 000030
2004507567.tif 000031
2004507567.tif 000032
2004507567.tif 000033
2004507567.tif 000034
2004507567.tif 000035
2004507567.tif 000036
2004507567.tif 000037
2004507567.tif 000038
【国際公開パンフレット（コレクトバージョン）】
2004507567.tif 000039
2004507567.tif 000040
【国際調査報告】
2004507567.tif 000041
2004507567.tif 000042